(57)【要約】      （修正有）【課題】日常生活における着用者の動作に追随し着用者の肌と密着して、吸収パッドからの漏れを抑制するパンツ型着用物を提供する。【解決手段】着用者の股間に対応する部位に尿を吸収するパッド５を取り付けることができる、又は一体的に取り付けられているパンツ型着用物であって、パンツ型形状の本体部と、本体部に配され長さ方向に伸縮する伸縮性帯状部１０と、を備え、伸縮性帯状部は、着用者の臀部の上部を延びる臀部上帯１１と、臀部の下部を延びる臀部下帯１２と、鼠蹊部に沿って延びる鼠蹊部帯１３と、を有し、鼠蹊部帯は鼠蹊部から上方に延びて側腹部Ｕ３で臀部上帯と繋がっている。【選択図】図２
0003195171.tif 000002
【実用新案登録請求の範囲】
【請求項１】
着用者の股間に対応する部位に尿を吸収するパッドを取り付けることができる、又は一体的に取り付けられているパンツ型着用物であって、
パンツ型形状の本体部と、前記本体部に配され長さ方向に伸縮する伸縮性帯状部と、を備え、
前記伸縮性帯状部は、着用者の臀部の上部を延びる臀部上帯と、着用者の臀部の下部を延びる臀部下帯と、着用者の鼠蹊部に沿って延びる鼠蹊部帯と、を有し、前記鼠蹊部帯は着用者の鼠蹊部から上方に延びて着用者の側腹部で前記臀部上帯と繋がっている、
パンツ型着用物。
【請求項２】
前記鼠蹊部帯は着用者の鼠蹊部から着用者の大腿部内側に延びて前記臀部下帯と繋がっている、
請求項１に記載のパンツ型着用物。
【請求項３】
前記臀部上帯と前記臀部下帯とが着用者の側腹部で交差する、
請求項１又は２に記載のパンツ型着用物。
【請求項４】
前記伸縮性帯状部は、さらに前記臀部下帯と着用者の側腹部で繋がり着用者の前方下腹部に延びる下腹部帯を有する、
請求項１〜３の何れか一項に記載のパンツ型着用物。
【請求項５】
前記伸縮性帯状部は、連続する一つながりの帯として前記本体部に配される、
請求項１〜４の何れか一項に記載のパンツ型着用物。
【請求項６】
前記本体部は、着用者の肌側に位置する第１の生地と、前記第１の生地の外側に位置する第２の生地と、を有し、
前記伸縮性帯状部は、前記第１の生地と前記第２の生地とを縫い合わせて形成されたトンネルに伸縮性を有する帯状の伸縮紐が通されて形成されている、
請求項１〜５の何れか一項に記載のパンツ型着用物。
【請求項７】
前記第１の生地と前記第２の生地は、同一形状を有しており、着用者の大腿部の周囲及び腹囲部で互いに縫い合わされて一体化されている、
請求項６に記載のパンツ型着用物。
【請求項８】
前記トンネルの経路中に、開口が設けられ、
前記開口から取り出された伸縮紐を把持する紐把持部材を有する、
請求項６又は７に記載のパンツ型着用物。
【請求項９】
前記伸縮性帯状部が、伸縮性の糸を用いて前記本体部をひだ状に縫製されて形成されたシャーリングである、
請求項１〜５の何れか一項に記載のパンツ型着用物。
【請求項１０】
前記本体部が、不織布からなる、
請求項９に記載のパンツ型着用物。
【考案の詳細な説明】
【技術分野】
【０００１】
本考案は、パンツ型着用物に関する。
【背景技術】
【０００２】
従来から、トイレでの排泄行為が困難な高齢者等のための股間部に吸収パッドが一体的に設けられた大人用おむつが利用されている。また、軽度の尿失禁用には、下着と固定される吸収パッドが利用されている。吸収パッドは、股間部に装着した状態で下着を装着することで、利用者の股間に固定される。吸収パッドを装着した際には、例えば特許文献１〜３に記載の通気性などに優れた専用下着の着用が推奨される。
【先行技術文献】
【特許文献】
【０００３】
【特許文献１】特開２０１０−５９５５４号公報
【特許文献２】特開２０１４−３７６５５号公報
【特許文献３】特開２００１−２５４８３号公報
【考案の概要】
【考案が解決しようとする課題】
【０００４】
大人用おむつ、又は吸収パッドを使用する際に着用する専用下着は、着用者の動作に伴い肌と着用物との間に隙間ができて漏れが生ずることがあった。このため、着用者は、尿漏れによる衣服の汚れを恐れて外出を控える等、自ら生活範囲を狭めてしまうという問題があった。
【０００５】
本考案は、前記事情に鑑みなされたものであって、日常生活における着用者の動作に追随し着用者の肌と密着して、吸収パッドからの漏れを抑制するパンツ型着用物の提供を目的とする。
【課題を解決するための手段】
【０００６】
前記課題を達成するため、本考案のパンツ型着用物は、着用者の股間に対応する部位に尿を吸収するパッドを取り付けることができる、又は一体的に取り付けられているパンツ型着用物であって、パンツ型形状の本体部と、前記本体部に配され長さ方向に伸縮する伸縮性帯状部と、を備え、前記伸縮性帯状部は、着用者の臀部の上部を延びる臀部上帯と、着用者の臀部の下部を延びる臀部下帯と、着用者の鼠蹊部に沿って延びる鼠蹊部帯と、を有し、前記鼠蹊部帯は着用者の鼠蹊部から上方に延びて着用者の側腹部で前記臀部上帯と繋がっている。
【０００７】
上記のパンツ型着用物において、前記鼠蹊部帯は着用者の鼠蹊部から着用者の大腿部内側に延びて前記臀部下帯と繋がっていてもよい。
【０００８】
上記のパンツ型着用物において、前記臀部上帯と前記臀部下帯とが着用者の側腹部で交差するものであってもよい。
【０００９】
上記のパンツ型着用物において、前記伸縮性帯状部は、さらに前記臀部下帯と着用者の側腹部で繋がり着用者の前方下腹部に延びる下腹部帯を有していてもよい。
【００１０】
上記のパンツ型着用物において、前記伸縮性帯状部は、連続する一つながりの帯として前記本体部に配されていてもよい。
【００１１】
上記のパンツ型着用物において、前記本体部は、着用者の肌側に位置する第１の生地と、前記第１の生地の外側に位置する第２の生地と、を有し、前記伸縮性帯状部は、前記第１の生地と前記第２の生地とを縫い合わせて形成されたトンネルに伸縮性を有する帯状の伸縮紐が通されて形成されていてもよい。
【００１２】
上記のパンツ型着用物において、前記第１の生地と前記第２の生地は、同一形状を有しており、着用者の大腿部の周囲及び腹囲部で互いに縫い合わされて一体化されていてもよい。
【００１３】
上記のパンツ型着用物において、前記トンネルの経路中に、開口が設けられ、前記開口から取り出された伸縮紐を把持する紐把持部材を有していてもよい。
【００１４】
上記のパンツ型着用物において、前記伸縮性帯状部が、伸縮性の糸を用いて前記本体部をひだ状に縫製されて形成されたシャーリングであってもよい。
【００１５】
上記のパンツ型着用物において、前記本体部が、不織布からなっていてもよい。
【考案の効果】
【００１６】
本考案のパンツ型着用物は、伸縮性帯状部が臀部上帯と臀部下帯とにより着用者の臀部を上下から保持しているために、本体部が着用者の肌に密着して、吸収パッドをずれにくくできる。加えて、鼠蹊部帯が、臀部上帯と繋がっており、臀部上帯から引き上げられることで、鼠蹊部帯の間に位置する吸収パッドが着用者の股間に押し付けられて、吸収パッドからの漏れを抑制できる。
【図面の簡単な説明】
【００１７】
【図１】第１実施形態のパンツ型着用物の着用時の状態を示す正面図である。
【図２】第１実施形態のパンツ型着用物の着用時の状態を示す斜視図である。
【図３】第１実施形態のパンツ型着用物の着用時の状態を示す側面図である。
【図４】第１実施形態のパンツ型着用物の着用時の状態を示す背面図である。
【図５】図５（ａ）は、第１実施形態のパンツ型着用物の着用時の状態を示す模式的な断面図であり、図５（ｂ）は、図５（ａ）に示す領域Ａの拡大図である。
【図６】第１実施形態のパンツ型着用物の第２の生地又は、第１の生地の展開図である。
【図７】第１実施形態のパンツ型着用物の伸縮性帯状部の交差部を模式的に示す図である。
【図８】第２実施形態のパンツ型着用物の着用時の状態を示す正面図である。
【図９】第２実施形態のパンツ型着用物の着用時の状態を示す斜視図である。
【考案を実施するための形態】
【００１８】
＜第１実施形態＞
以下、図面を参照して、本考案の第１実施形態に係るパンツ型着用物を説明する。
図１〜図５は、本実施形態のパンツ型着用物１００の着用時の状態を示す図であり、図１は正面図、図２は斜め前方から見た斜視図、図３は側面図、図４は背面図である。さらに、図５（ａ）はパンツ型着用物１００の模式的な断面図であり、図５（ｂ）は、図５（ａ）に示す領域Ａの拡大図である。
【００１９】
本実施形態のパンツ型着用物１００は、吸収パッド（パッド）５を股間部に装着した状態で着用するアウターパンツである。
パンツ型着用物１００は、本体部５０と、本体部５０に配される伸縮性帯状部１０と、を備える。
【００２０】
本体部５０は、パンツ型形状を有しており、着用者Ｕの下半身において腹囲Ｕ１から大腿部Ｕ２の一部までを覆う。
図５（ａ）に示すように、本体部５０は、着用者Ｕの肌側に位置する第１の生地（裏地）６１と、第１の生地６１の外側に位置する第２の生地（表地）６２と、を有している。第１の生地６１と第２の生地６２とは、同一形状を有しており、着用者Ｕの大腿部Ｕ２の周囲及び腹囲Ｕ１に対応する部分で互いに縫い合わされて一体化されている。
【００２１】
第１の生地６１及び第２の生地６２は、着用者Ｕの体型に沿うように伸縮性素材を採用することが好ましい。
第１の生地６１としては、消臭効果のある生地を採用することが好ましい。第１の生地６１は、着用者Ｕの肌に直接的に触れるため、汗を吸収する。また、第１の生地６１には、尿が付着することがある。第１の生地６１として消臭効果のある生地を採用することで汗や尿の臭気を抑えることが抑制できる。
第２の生地６２としては、通気性の高い生地を採用することが好ましい。これにより、第１の生地６１において吸収した汗を素早く乾燥させることができる。
【００２２】
本体部５０は、着用者Ｕの腹囲Ｕ１を周回するように腹囲部５１を有している。腹囲部５１は、着用者Ｕの腹囲Ｕ１に合わせて伸縮する素材（例えばゴム）からなる。
また、本体部５０は、着用者Ｕの一対の大腿部Ｕ２において、第１の生地６１と第２の生地６２とを縫製する縫製部５２を有している。
【００２３】
図１〜図４に示すように、伸縮性帯状部１０は、本体部５０に帯状に配されており、長さ方向に伸縮可能である。伸縮性帯状部１０は、臀部上帯１１と臀部下帯１２と鼠蹊部帯１３と下腹部帯１４とを有している。伸縮性帯状部１０は、一つながりの経路として本体部５０に設けられている。即ち、臀部上帯１１、臀部下帯１２、鼠蹊部帯１３、並びに下腹部帯１４は、連続的に形成されている。
【００２４】
図５（ａ）に示すように、伸縮性帯状部１０は、本体部５０に形成されたトンネル２０と、トンネル２０の内部に配置される伸縮性を有する帯状の伸縮紐２５と、を有する。
図５（ｂ）に示すように、トンネル２０は、第１の生地６１と第２の生地６２とを縫い合わせて形成されている。第１の生地６１と第２の生地６２とは、一対の縫い合わせ部２１において縫い合わされている。一対の縫い合わせ部２１は、帯状の伸縮紐２５の短手方向の幅より若干大きい距離を介して並行して延びている。トンネル２０は、一対の縫い合わせ部２１同士の間に形成される第１の生地６１と第２の生地６２の間の空間である。
【００２５】
縫い合わせ部２１の縫製方法としては、偏平縫いを採用することが好ましい。これにより、第１の生地６１及び第２の生地６２として伸縮性の素材を採用した場合に、縫い合わせ部２１が、生地の伸縮に追随できる。
【００２６】
伸縮紐２５は、トンネル２０の内部に収納されている。伸縮紐２５は、本体部５０に縫い合わされていないため、トンネル２０の内部で自由に移動及び伸縮が可能である。伸縮紐２５は、幅広の帯状であることが好ましい。これにより、伸縮紐２５と着用者Ｕとの接触面積を大きくして、伸縮紐２５の張力に起因する圧力を小さくできる。これによって、着用者Ｕの肌に対する負荷を軽減できる。
【００２７】
図２に示すように、伸縮性帯状部１０は、着用者Ｕの下腹部Ｕ６に位置する張力調整部３０を有する。張力調整部３０は、トンネル２０の開口２０ａと、伸縮紐２５を把持する紐把持部材２２とを有する。
トンネル２０の開口２０ａからは、開口２０ａを挟んだ両側のトンネル２０内に収納されている伸縮紐２５が取り出される。開口２０ａから取り出された伸縮紐２５には、紐把持部材２２が取り付けられ、開口２０ａから取り出された伸縮紐２５の長さを適宜調整できる。これにより、伸縮紐２５のトンネル２０内での張力を、着用者Ｕの体型や好みに合わせて随時調整することができる。
【００２８】
次に、伸縮性帯状部１０の臀部上帯１１、臀部下帯１２、鼠蹊部帯１３、並びに下腹部帯１４について具体的に説明する。
図１に示すように、鼠蹊部帯１３は、着用者Ｕの一対の鼠蹊部Ｕ５に沿ってそれぞれ一対延びている。鼠蹊部帯１３は、着用者Ｕの鼠蹊部Ｕ５から斜め上方に延びて、着用者Ｕの側腹部Ｕ３まで達する。また、鼠蹊部帯１３は、着用者Ｕの側腹部Ｕ３において、臀部上帯１１と繋がっている。
【００２９】
一対の鼠蹊部帯１３は、吸収パッド５の左右に配置されている。鼠蹊部帯１３は、伸縮性を有し、着用者Ｕの臀部Ｕ４の上方に位置する臀部上帯１１と繋がっているため、着用者Ｕの臀部Ｕ４の上部から吸収パッド５を締め付けて上方に引き上げるという効果をもたらす。これにより、着用者Ｕが動作した場合であっても、吸収パッド５が下がりにくくなる。
【００３０】
また、鼠蹊部帯１３は着用者Ｕの鼠蹊部Ｕ５から着用者Ｕの大腿部Ｕ２内側に延びて臀部下帯１２と繋がっている。鼠蹊部帯１３は、上方において臀部上帯１１と繋がって上方に引き上げられ、下方において臀部下帯１２と繋がって下方に引っ張られる。即ち鼠蹊部帯１３は、上下から引っ張られ、着用者Ｕに密着するような応力が加えられる。これにより、一対の鼠蹊部帯１３の間に配置される吸収パッド５を着用者Ｕの股間に押し付けて吸収パッド５と着用者Ｕの肌との間に隙間が生じることを抑制できる。
【００３１】
また、鼠蹊部Ｕ５は、左右の大腿部Ｕ２の付け根である。鼠蹊部帯１３は、鼠蹊部Ｕ５に沿って延びているために、着用者Ｕが大腿部Ｕ２を動作させる場合に、鼠蹊部帯１３が動作を妨害しにくい。
【００３２】
図３及び図４に示すように、臀部上帯１１は、着用者Ｕの臀部Ｕ４の上部を延びる。臀部Ｕ４は、着用者Ｕの背面において後方に突き出す部位である。したがって、臀部Ｕ４の上部を延びる臀部上帯１１が設けられていることで、パンツ型着用物１００が臀部Ｕ４より後方に下がりにくい。また、上述したように臀部上帯１１は、鼠蹊部帯１３と繋がっており、鼠蹊部帯１３を上方に引き上げて吸収パッド５を下がりにくくする。
【００３３】
臀部下帯１２は、着用者Ｕの臀部Ｕ４の下部を延びる。着用者Ｕの臀部Ｕ４から下方には大腿部Ｕ２が延びている。臀部下帯１２は、着用者Ｕの臀部Ｕ４を下方から包み込んで、大腿部Ｕ２の内側に延びている。このように、臀部下帯１２が着用者Ｕの臀部Ｕ４から大腿部Ｕ２の内側に向かって巻き付くように配されていることで、着用者Ｕの股間に配置された吸収パッド５を股間に沿って締め付けることができる。
【００３４】
また、臀部下帯１２は、図４に示すように、着用者Ｕの臀部Ｕ４の膨らみに沿って着用者Ｕの側方上方に向かって延びる。臀部下帯１２は、着用者Ｕの側腹部Ｕ３において下腹部帯１４に繋がる。
【００３５】
下腹部帯１４は、臀部下帯１２と着用者Ｕの側腹部Ｕ３で繋がり、着用者Ｕの前方下腹部Ｕ６に延びる。下腹部帯１４は、吸収パッド５の上方を緩やかかに曲がりながら延びる。
下腹部帯１４には、着用者Ｕの正面中央において、張力調整部３０が設けられている。
【００３６】
図６は、本体部５０の第２の生地６２（又は、第１の生地６１）の展開図である。展開された第２の生地６２（又は第１の生地６１）において、伸縮性帯状部１０は、部分的に途切れて配されている。伸縮性帯状部１０は、第２の生地６２をパンツ型とする縫製作業によって、接続部Ｐ１、Ｐ１同士が接続され、接続部Ｐ２、Ｐ２同士が接続され、接続部Ｐ３、Ｐ３同士が接続される。これにより、伸縮性帯状部１０は、一つながりとなる。
【００３７】
図７は、着用者Ｕの側腹部Ｕ３において臀部上帯１１と臀部下帯１２とが交差して形成された交差部１９を模式的に示す図である。
図７に示すように、臀部上帯１１は、一対の縫い合わせ部２１Ａ同士の間に形成されたトンネル２０Ａと、トンネル２０Ａ内に通された伸縮紐２５Ａにより構成されている。同様に、臀部下帯１２は、一対の縫い合わせ部２１Ｂ同士の間に形成されたトンネル２０Ｂと、トンネル２０Ｂに通された伸縮紐２５Ａにより構成されている。
なお、臀部上帯１１の伸縮紐２５Ａ及び臀部下帯１２の伸縮紐２５Ｂは、単一の伸縮紐２５であるが、ここでは、説明のために別の符号を付与する。
【００３８】
臀部上帯１１の縫い合わせ部２１Ａは、臀部下帯１２の経路を横切らずに分断されている。同様に、臀部下帯１２の縫い合わせ部２１Ｂは、臀部上帯１１の経路を横切らずに分断されている。臀部上帯１１の縫い合わせ部２１Ａと臀部下帯１２の縫い合わせ部２１Ｂとは、交差部１９の周囲で連続して繋がっている。
このように、縫い合わせ部２１Ａ及び縫い合わせ部２１Ｂが構成されることで、臀部上帯１１のトンネル２０Ａと、臀部下帯１２のトンネル２０Ｂは、内部空間がつながった状態となる。
【００３９】
交差部１９において、臀部上帯１１の伸縮紐２５Ａと、臀部下帯１２の伸縮紐２５Ｂとは、重なり合って交差する。図７においては、伸縮紐２５Ｂが伸縮紐２５Ａの上を通過する例を示したが、この逆であっても良い。
交差部１９において、臀部上帯１１及び臀部下帯１２のトンネル２０Ａ、２０Ｂがつながり、伸縮紐２５Ａ、２５Ｂが重なり合って交差することで、伸縮紐２５Ａ、２５Ｂがそれぞれ独立して移動できる。
【００４０】
伸縮紐２５Ａと伸縮紐２５Ｂとは、本体部５０に取り回される単一の伸縮紐２５であるため、伸縮紐２５を、張力調整部３０において引き延ばすことで、それぞれ、別々に動作する。これにより、それぞれの伸縮紐２５Ａ、２５Ｂがそれぞれの長さ方向に独立に伸長される。
【００４１】
上述した、本実施形態のパンツ型着用物１００によれば、伸縮性帯状部１０の臀部上帯１１と臀部下帯１２とが、着用者Ｕの側腹部Ｕ３において、交差して交差部１９を形成している。また、臀部下帯１２は、着用者Ｕの下腹部Ｕ６に延びる下腹部帯１４に繋がっている。
このように、伸縮性帯状部１０は、連続する一つながりの帯として鼠蹊部帯１３、臀部上帯１１、臀部下帯１２、並びに下腹部帯１４が繋がっている。
【００４２】
本実施形態のパンツ型着用物１００は、同一形状を有する第１の生地６１と第２の生地６２とが、重ねあわされている。また、第１の生地６１と第２の生地６２とが縫い合わせ部２１において縫い合わされて、伸縮紐２５を通すトンネル２０が形成されている。このように、２枚の生地を重ねてトンネル２０を形成することで、裁断布を１枚の生地に縫い付けてトンネル２０を縫い付ける場合と比較して、容易に交差部１９を形成できる。
【００４３】
また、本実施形態のパンツ型着用物１００において、伸縮性帯状部１０は、トンネル２０の開口２０ａから引き出された伸縮紐２５を把持する紐把持部材２２を備えた張力調整部３０を有している。伸縮紐２５はトンネル２０内に縫い付けられることなく伸縮自在に配されている。したがって、張力調整部３０において、開口２０ａから伸縮紐２５を引き出すことで、一つながりとなった伸縮性帯状部１０の全体に張力を付与できる。
【００４４】
さらに、本実施形態のパンツ型着用物１００によれば、伸縮性帯状部１０が、鼠蹊部帯１３と臀部上帯１１と臀部下帯１２と下腹部帯１４とを有している。
パンツ型着用物１００は、伸縮性帯状部１０が臀部上帯１１と臀部下帯１２とにより着用者Ｕの臀部Ｕ４を上下から保持しており、本体部５０が着用者Ｕの肌に密着して、吸収パッド５をずれにくくできる。
【００４５】
鼠蹊部帯１３は、着用者Ｕの鼠蹊部Ｕ５に沿って延びて、上方において臀部上帯１１と繋がっている。臀部上帯１１は、着用者Ｕの臀部Ｕ４の上部に位置しているために、本体部５０の下方へのずり落ちを抑制する効果を奏する。さらに臀部上帯１１は、鼠蹊部帯１３を上方に引き上げる効果を奏する。着用者Ｕの股間、即ち一対の鼠蹊部Ｕ５の間には、吸収パッド５が配されている。鼠蹊部帯１３が上方に引き上げられることで、吸収パッド５を着用者Ｕの股間に密着させることができる。
また、鼠蹊部帯１３は着用者Ｕの大腿部Ｕ２の内側で、臀部下帯１２と繋がっている。これにより、大腿部Ｕ２の内側においても、着用者Ｕの股間を締め付けて、吸収パッド５の位置ずれを防ぐことができる。
【００４６】
＜第２実施形態＞
次に、図８、図９を基に本考案の第２実施形態に係るパンツ型着用物２００について説明を行う。
図８、図９は、本実施形態のパンツ型着用物２００の着用時の状態を示す図であり、図８は正面図、図９は斜め前方から見た斜視図である。
本実施形態のパンツ型着用物２００は、股間部に吸収パッド１０５が一体的に設けられた大人用おむつである。パンツ型着用物２００は、本体部１５０と、本体部１５０に配される伸縮性帯状部１１０と、を備える。
【００４７】
本体部１５０は、パンツ型形状を有しており不織布からなる。本体部１５０は、着用者Ｕの下半身において腹囲Ｕ１から大腿部Ｕ２の一部までを覆う。
本体部１５０は、着用者Ｕの腹囲Ｕ１を周回するように腹囲部１５１を有している。腹囲部１５１は、着用者Ｕの腹囲Ｕ１に合わせて伸縮するように、伸縮性の糸を用いてひだ状に縫製されたシャーリングが形成されている。
また、本体部１５０は、着用者Ｕの一対の大腿部Ｕ２において、シャーリングが形成されて着用者Ｕの大腿部Ｕ２に密着する大腿部締付部１５２を有する。
【００４８】
図８、図９に示すように、伸縮性帯状部１１０は、本体部１５０に帯状に配されている。伸縮性帯状部１１０は、臀部上帯１１１と臀部下帯１１２と鼠蹊部帯１１３と下腹部帯１１４とを有している。伸縮性帯状部１１０は、一つながりの経路として本体部１５０に設けられている。伸縮性帯状部１１０は、伸縮性の糸を用いて本体部１５０をひだ状に縫製されて形成されたシャーリングであり、長さ方向に伸縮可能である。
【００４９】
本実施形態のパンツ型着用物２００によれば、伸縮性帯状部１１０が、鼠蹊部帯１１３と臀部上帯１１１と臀部下帯１１２と下腹部帯１１４とを有している。臀部上帯１１１と臀部下帯１１２とは、着用者Ｕの側腹部Ｕ３で交差して形成された交差部１１９を形成する。
鼠蹊部帯１１３は、着用者Ｕの鼠蹊部Ｕ５に沿って延びて、上方において臀部上帯１１１と繋がっている。臀部上帯１１１は、着用者Ｕの臀部Ｕ４の上部に位置しているために、本体部１５０の下方へのずり落ちを抑制する効果を奏する。加えて、臀部上帯１１１は、鼠蹊部帯１１３を上方に引き上げる効果を奏する。着用者Ｕの股間、即ち一対の鼠蹊部Ｕ５の間には、吸収パッド１０５が配されている。鼠蹊部帯１１３が上方に引き上げられることで、吸収パッド１０５を着用者Ｕの股間に密着させることができる。
また、鼠蹊部帯１１３は着用者Ｕの大腿部Ｕ２の内側で、臀部下帯１１２と繋がっている。これにより、大腿部Ｕ２の内側においても、着用者の股間を締め付けて、吸収パッド１０５の位置ずれを防ぐことができる。
【００５０】
以上のとおり、本考案の一実施形態を説明したが、各実施形態における各構成及びそれらの組み合わせ等は一例であり、本考案の趣旨から逸脱しない範囲内で、構成の付加、省略、置換、及びその他の変更が可能である。また、本考案は実施形態によって限定されるものではない。
【符号の説明】
【００５１】
５、１０５…吸収パッド（パッド）
１０、１１０…伸縮性帯状部
１１、１１１…臀部上帯
１２、１１２…臀部下帯
１３、１１３…鼠蹊部帯
１４、１１４…下腹部帯
１９、１１９…交差部
２０、２０Ａ、２０Ｂ…トンネル
２０ａ…開口
２１、２１Ａ、２１Ｂ…縫い合わせ部
２２…紐把持部材
２５、２５Ａ、２５Ｂ…伸縮紐
３０…張力調整部
５０、１５０…本体部
５１、１５１…腹囲部
６１…第１の生地
６２…第２の生地
１００、２００…パンツ型着用物
Ｕ…着用者
Ｕ１…腹囲
Ｕ２…大腿部
Ｕ３…側腹部
Ｕ４…臀部
Ｕ５…鼠蹊部
Ｕ６…下腹部
【図１】
0003195171.tif 000003
【図２】
0003195171.tif 000004
【図３】
0003195171.tif 000005
【図４】
0003195171.tif 000006
【図５】
0003195171.tif 000007
【図６】
0003195171.tif 000008
【図７】
0003195171.tif 000009
【図８】
0003195171.tif 000010
【図９】
0003195171.tif 000011